(57)【要約】【課題】図柄の数を増やし、大型化を抑制できる図柄表示装置および回胴式遊技装置を提供することである。【解決手段】図柄表示装置５は、図柄５３を組み合わせてゲームを行なう回胴式遊技装置１に備える図柄表示装置５であって、メビウスの輪状に形成されるベルト本体５１と、ベルト本体５１を挟む面に図柄５３が形成される図柄表示部５２と、を有する図柄表示ベルト５０と、図柄表示ベルト５０を掛け渡し、図柄表示ベルト５０を回転させる回転部６０と、を備えている。【選択図】図３
2010142443.tif 000002
【特許請求の範囲】
【請求項１】
図柄を組み合わせてゲームを行なう回胴式遊技装置に備える図柄表示装置であって、
メビウスの輪状に形成されるベルト本体と、当該ベルト本体を挟む面に前記図柄が形成される図柄表示部と、を有する図柄表示ベルトと、
前記図柄表示ベルトを掛け渡し、当該図柄表示ベルトを回転させる回転部と、を備えていることを特徴とする図柄表示装置。
【請求項２】
請求項１に記載の図柄表示装置であって、
前記回転部は、前記図柄表示ベルトを回転させる回転ドラムと、
前記回転ドラムによる前記図柄表示ベルトの回転に従動して回転する回転ローラーと、を備えていることを特徴とする図柄表示装置。
【請求項３】
請求項１に記載の図柄表示装置であって、
前記回転部は、前記図柄表示ベルトを回転させる回転ローラーと、
円弧状の外周面を有し、前記回転ローラーにより回転する前記図柄表示ベルトを前記外周面上に摺動させる摺動部材と、を備えていることを特徴とする図柄表示装置。
【請求項４】
請求項１〜請求項３のいずれか一項に記載の図柄表示装置であって、
前記回転部は、前記図柄表示ベルトのねじれを有さない側に対して張力を付与することにより回転させることを特徴とする図柄表示装置。
【請求項５】
請求項１〜請求項４のいずれか一項に記載の図柄表示装置であって、
前記ベルト本体は、可撓性および導光性を有するシリコンゴム部材で構成されていることを特徴とする図柄表示装置。
【請求項６】
請求項１〜請求項５のいずれか一項に記載の図柄表示装置であって、
前記図柄表示ベルトの前記図柄を外面から照明する照明部を有することを特徴とする図柄表示装置。
【請求項７】
請求項５に記載の図柄表示装置であって、
前記シリコンゴム部材で構成される前記ベルト本体と、
前記ベルト本体の端面側に配設されて前記図柄を照明する照明部を有することを特徴とする図柄表示装置。
【請求項８】
請求項１〜請求項７のいずれか一項に記載の図柄表示装置を備えていることを特徴とする回胴式遊技装置。
【発明の詳細な説明】
【技術分野】
【０００１】
本発明は、図柄表示装置と、図柄表示装置による図柄を組み合わせてゲームを行なう回胴式遊技装置に関する。
【背景技術】
【０００２】
従来、図柄を印刷した複数の図柄表示ベルトを回転させ、停止ボタンによる停止操作や、制御回路による停止制御などにより、図柄表示ベルトが停止した時の図柄の組み合わせでゲームを行なうスロットマシーンやパチンコ機などの回胴式遊技装置が知られている。このような回胴式遊技装置に備える図柄表示装置の図柄表示ベルトは、ベルトの表面（遊技者に対向する面）に複数の図柄が印刷され、無端状に形成されている。そして、図柄表示ベルトは、回転ドラムおよび従動ローラーの外周面に掛け渡され、駆動モーターなどにより回転ドラムを回転させることで回転する。なお、図柄表示装置および回胴式遊技装置の例として、特許文献１などが開示されている。
【０００３】
【特許文献１】特開２００４−１８１０６７号公報
【発明の開示】
【発明が解決しようとする課題】
【０００４】
従来の回胴式遊技装置に備える図柄表示装置によると、図柄表示ベルトに表示される図柄の数は、図柄表示ベルトのベルト長さで決まる。従って、今以上に図柄の数を増やすことで、ゲームのスリル感や期待感を高めようとした場合には、図柄表示ベルトのベルト長さを長くすることが必要となり、図柄表示ベルトや、図柄表示ベルトを掛け渡す回転ドラムや従動ローラーなどを含めた図柄表示装置が複雑化、大型化するという課題があった。また、図柄表示装置が複雑化、大型化することが、回胴式遊技装置の大型化の要因になるという課題があった。一方、図柄の大きさ（回転ドラムの大きさ）は従来と同等で、遊技盤に入賞口や電飾などを増やすことで、ゲームのスリル感や期待感を高めようとした場合には、遊技盤の裏面側の空間を確保するために図柄表示装置を小型化することが必要となり、その結果、図柄表示ベルトのベルト長さを短くすることで図柄の数が減るという課題があった。従って、図柄の数を増やし、大型化を抑制できる図柄表示装置および回胴式遊技装置が要望されていた。
【課題を解決するための手段】
【０００５】
本発明は、上述した課題の少なくとも一部を解決するためになされたものであり、以下の形態または適用例として実現することが可能である。
【０００６】
［適用例１］本適用例に係る図柄表示装置は、図柄を組み合わせてゲームを行なう回胴式遊技装置に備える図柄表示装置であって、メビウスの輪状に形成されるベルト本体と、ベルト本体を挟む面に図柄が形成される図柄表示部と、を有する図柄表示ベルトと、図柄表示ベルトを掛け渡し、図柄表示ベルトを回転させる回転部と、を備えていることを特徴とする。
【０００７】
このような図柄表示装置によれば、図柄表示ベルトは、ベルト本体がメビウスの輪状に形成されて、ベルト本体を挟む面に図柄が形成される図柄表示部を有する。また、図柄表示ベルトは、回転部に掛け渡されて回転を行なう。これにより、ベルト本体の表面全体を利用して図柄を形成できるため、従来の片面しか利用できない図柄表示ベルトに比べて、図柄数を増やすことができ、図柄表示装置の大型化も抑制することができる。また、従来と同等の図柄数（図柄の大きさも同等）でよい場合には、図柄表示ベルトのベルト長さを、従来に比べて短くすることができ、図柄表示装置の小型化を図ることができる。
【０００８】
［適用例２］上記適用例に係る図柄表示装置において、回転部は、図柄表示ベルトを回転させる回転ドラムと、回転ドラムによる図柄表示ベルトの回転に従動して回転する回転ローラーと、を備えていることが好ましい。
【０００９】
このような図柄表示装置によれば、回転ドラムが図柄表示ベルトを回転し、図柄表示ベルトの回転に回転ローラーが従動して回転することにより、図柄表示ベルトは、安定して回転することができる。
【００１０】
［適用例３］上記適用例に係る図柄表示装置において、回転部は、図柄表示ベルトを回転させる回転ローラーと、円弧状の外周面を有し、回転ローラーにより回転する図柄表示ベルトを外周面上に摺動させる摺動部材と、を備えていることが好ましい。
【００１１】
このような図柄表示装置によれば、図柄表示ベルトは、回転ローラーで回転され、摺動部材の円弧状の外周面上を摺動する。これにより、例えば、回転するドラムなどを用いなくても、摺動部材の円弧状の外周面上を図柄表示ベルトが摺動することにより、機械的にドラムが回転しているかのように見せる演出効果がある。
【００１２】
［適用例４］上記適用例に係る図柄表示装置において、回転部は、図柄表示ベルトのねじれを有さない側に対して張力を付与することにより回転させることが好ましい。
【００１３】
このような図柄表示装置によれば、図柄表示ベルトのねじれを有さない側に対して張力を付与することで、ねじれを有する側に張力が殆ど加わらないため、メビウスの輪状に形成される図柄表示ベルトに対して安定した回転を行なわせることができる。
【００１４】
［適用例５］上記適用例に係る図柄表示装置において、ベルト本体は、可撓性および導光性を有するシリコンゴム部材で構成されていることが好ましい。
【００１５】
このような図柄表示装置によれば、シリコンゴム部材の可撓性により、回転部に掛け渡して回転することができる。また、シリコンゴム部材の導光性により、例えば、ベルト本体の端面部から入射した光をベルト本体内部に導光して透過させることにより、図柄を照明することができる。
【００１６】
［適用例６］上記適用例に係る図柄表示装置において、図柄表示ベルトの図柄を外面から照明する照明部を有することが好ましい。
【００１７】
このような図柄表示装置によれば、照明部が、図柄表示ベルトの図柄を遊技者側から照明することにより、図柄表示ベルトの外面に形成される図柄が照明され、遊技者に明確に認識させることができる。
なお、図柄表示ベルトは、メビウスの輪状に形成されているため、以降の説明の便宜上、ベルト本体のねじれを有さない領域に対して、適宜、遊技者から視認可能な面を外面、その裏側を内面と呼ぶ。
【００１８】
［適用例７］上記適用例に係る図柄表示装置において、シリコンゴム部材で構成されるベルト本体と、ベルト本体の端面側に配設されて図柄を照明する照明部を有することが好ましい。
【００１９】
このような図柄表示装置によれば、照明部がベルト本体の端面側に配設されることにより、図柄を前面側から照明することに比べて、シリコンゴム部材で構成されるベルト本体の端面部から内部に積極的に光を導光させ、遊技者側から視認可能な外面に形成される図柄を透過させて照明することができるため、遊技者に図柄を明確に認識させることができる。また、回転部の内部から照明しているように遊技者には認識してもらうことができ、図柄表示ベルトの表面全体に図柄を形成した場合にも、ドラムが回転して図柄が回っていることを従来と同等に強調でき、また、遊技者の図柄に対する認識も向上させられることで演出効果を出すことができる。
【００２０】
［適用例８］本適用例に係る回胴式遊技装置は、上述したいずれかの図柄表示装置を備えていることを特徴とする。
このような回胴式遊技装置によれば、図柄の数を増やすことができると共に、大型化を抑制することができる。
【発明を実施するための最良の形態】
【００２１】
以下、実施形態を図面に基づいて説明する。
（第１実施形態）
【００２２】
図１は、本発明の第１実施形態に係る回胴式遊技装置の概略正面図である。本実施形態では、回胴式遊技装置１としてパチンコ機に本発明を適用した例を取り上げて説明する。図１を参照して、回胴式遊技装置１の外観構成および動作を簡単に説明する。
【００２３】
回胴式遊技装置１は、枠体２と、枠体２内部に収納される遊技装置本体３とを備えて構成されている。遊技装置本体３は、遊技盤３１を備えている。また、遊技装置本体３は、遊技盤３１を覆う透光板（例えば、ガラス板）を有する前扉３２や、遊技盤３１の下部位置に設けられて遊技球を貯める上皿３３および下皿３４を備えて構成されている。また、遊技装置本体３は、下皿３４の右側に枠体２から突出して設けられ、遊技球を打ち出すためのハンドル３５を備えて構成されている。
【００２４】
遊技盤３１上には、ハンドル３５の操作により、打ち出された遊技球を誘導する略円弧状の外レール３１Ｂおよび内レール３１Ｃが設けられ、この２つのレール３１Ｂ，３１Ｃに囲まれた部分が遊技領域を形成している。遊技盤３１の略中央部には、開口部３１Ａが形成され、その内部には、図柄表示装置５が設置されている。なお、本実施形態では、図柄表示装置５が横方向に３セット配列されている。図１では、この３セットを図柄表示装置５Ａ，５Ｂ，５Ｃとして図示している。
【００２５】
回胴式遊技装置１の基本動作を説明する。
回胴式遊技装置１は、ハンドル３５の操作によって打ち出された遊技球が所定の入賞口３６に入賞すると、図柄表示装置５に表示されている図柄（数字や文字や絵柄など）が回転を開始する。図柄の回転継続時間は図示省略する制御部により制御され、所定時間経過後または所定数の遊技球が入賞した後、回転が停止する。なお、特定の図柄が所定数揃った状態で停止した場合には、大入賞口３７が所定時間継続して開放することで、短時間で多くの賞球を得ることができる。なお、どの入賞口にも入賞しなかった遊技球は、収集口３８から遊技盤３１内部に導かれる。
【００２６】
図２は、図柄表示ベルトを示す図であり、図２（ａ）は、図柄表示ベルトの斜視図であり、図２（ｂ）は、図柄表示ベルトの部分断面図である。図２を参照して、図柄表示ベルト５０の構成を説明する。
【００２７】
図２（ａ）に示すように、図柄表示ベルト５０は、メビウスの輪状に形成されている。詳細には、図柄表示ベルト５０は、ゴム製で帯状に形成されたベルト本体５１の一方の端部を、１８０°ねじり、他方の端部に連結した形態となっている。なお、この構造により発生する、ねじれを有する領域を符号のαで示している。
【００２８】
また、図柄表示ベルト５０には、図柄５３が印刷された図柄表示部５２が、ベルト本体５１の面上に形成されている。詳細には、図柄表示部５２の図柄５３は、ベルト本体５１を挟む面に、一定間隔を有して形成されている。なお、図柄５３として、数字や文字や絵柄などが印刷されている。
【００２９】
図２（ｂ）に示すように、図柄表示ベルト５０のベルト本体５１は、本実施形態では、可撓性および導光性を有するシリコンゴム部材を用いている。そして、このベルト本体５１の表面全体に渡って図柄５３が印刷されている。
なお、図柄表示ベルト５０は、メビウスの輪状に形成されているため、説明の便宜上、ベルト本体５１のねじれを有さない領域に対して、適宜、遊技者から視認可能な面を外面、その裏側を内面と呼ぶ。
【００３０】
図３は、回胴式遊技装置に備えた図柄表示装置を示す概略側面図である。図３を参照して、図柄表示装置５の構成および動作を説明する。
【００３１】
図柄表示装置５は、遊技盤３１の略中央部に形成した開口部３１Ａから図柄表示ベルト５０の図柄５３が確認できる位置関係で、遊技盤３１の裏面側に設置されている。図柄表示装置５は、上述した図柄表示ベルト５０と、図柄表示ベルト５０を掛け渡し、図柄表示ベルト５０を回転させる回転部６０を備えている。回転部６０は、回転ドラム６１と、回転ドラム６１を挟む形態で、回転ドラム６１の右側上部および右側下部に回転ローラー６３，６４を備えている。また、図柄表示装置５は、回転ドラム６１を駆動（回転）させるための駆動モーター６５と、駆動モーター６５を制御する制御回路（図示省略）を備えている。また、これらの構成部を収容し、遊技盤３１の裏面側に固定する収容枠体（図示省略）なども備えている。
【００３２】
回転ローラー６３，６４は、それぞれ支持軸６３Ａ，６４Ａを中心に回転自在に設置されている。また、回転ドラム６１は、駆動モーター６５の回転軸６５Ａに取り付けられている。駆動モーター６５は、本実施形態では、ステッピングモーターを用いており、制御回路部からのパルス信号により所定角度ずつ回転し、回転軸６５Ａに取り付けられた回転ドラム６１の回転および回転角度をコントロールしている。
【００３３】
図柄表示ベルト５０は、このような回転ドラム６１および回転ローラー６３，６４の外周面に、滑りが生じない適度な張力を有して掛け渡されている。また、本実施形態では、図柄表示ベルト５０のねじれを有する側（ねじれを有する領域αを含む側）を回転ローラー６３，６４間に位置するように、掛け渡されている。
【００３４】
ここで、図柄表示装置５の動作を説明する。
駆動モーター６５は、本実施形態では、矢印Ａ方向（図３の紙面上、反時計回り）に回転するように駆動する。この駆動モーター６５の駆動により、回転ドラム６１が矢印Ａ方向に回転を開始する。回転ドラム６１の回転開始により、回転ドラム６１と回転ローラー６３との間に掛け渡された図柄表示ベルト５０のねじれを有さない側に張力が付与されると共に、回転ドラム６１と図柄表示ベルト５０との摩擦力により、図柄表示ベルト５０が矢印Ａ方向に回転を開始する。
【００３５】
また、略同時に、図柄表示ベルト５０の矢印Ａ方向の回転に従動して、回転ローラー６３，６４が回転を開始する。なお、図柄表示ベルト５０が回転する場合、回転ローラー６３，６４間に位置する図柄表示ベルト５０のねじれを有する領域αは、その位置で、ねじられた状態を維持しつつ安定した回転を行なう。
【００３６】
なお、本実施形態では、上述した図柄表示装置５を１セットとして、３セット使用し、横方向に３列（図柄表示装置５Ａ，５Ｂ，５Ｃ）配列している。そして、回胴式遊技装置１のメイン制御部（図示省略）により、それぞれの図柄表示装置５Ａ，５Ｂ，５Ｃ（図４参照）の制御回路をコントロールすることにより、それぞれの図柄表示ベルト５０Ａ，５０Ｂ，５０Ｃ（図４参照）の回転開始・回転停止を制御している。
【００３７】
図４は、図柄表示装置の照明部を示す図であり、図４（ａ）は、図柄表示装置の照明部の概略正面図であり、図４（ｂ）は、図柄表示装置の照明部の概略側面図である。図４を参照して、図柄表示装置５の照明部７０の構成および動作を説明する。
【００３８】
図柄表示装置５は、図柄表示ベルト５０の図柄５３を照明する照明部７０を備えている。照明部７０は、それぞれの図柄表示装置５Ａ，５Ｂ，５Ｃに同様に備わるため、以降の説明では、図４（ａ）に示す図中で右端となる図柄表示装置５Ａを代表して説明する。
【００３９】
照明部７０Ａ（７０）は、回転ドラム６１Ａ（６１）に掛け渡される図柄表示ベルト５０Ａ（５０）のベルト本体５１Ａ（５１）の一方の端面側に、ベルト本体５１Ａ（５１）の曲率に沿って、配設されている。照明部７０Ａ（７０）は、３つの照明部材７１Ａ（７１），７２Ａ（７２），７３Ａ（７３）を備えている。照明部材７１Ａ（７１），７２Ａ（７２），７３Ａ（７３）は、図示省略する収容枠体に設置されるカバー部材８１に設置されてカバーされており、遊技者は、照明部材７１Ａ（７１），７２Ａ（７２），７３Ａ（７３）を直接視認することはできない。
【００４０】
また、照明部材７１Ａ（７１），７２Ａ（７２），７３Ａ（７３）は、本実施形態では、発光ダイオード素子を用いている。そして、照明部材７１Ａ（７１），７２Ａ（７２），７３Ａ（７３）は、図４（ａ）に破線矢印で示すように、図柄表示ベルト５０Ａ（５０）の端面部５４Ａ（５４）に向かって光を射出する。端面部５４Ａ（５４）に入射した光は、ベルト本体５１Ａ（５１）（シリコンゴム部材）の内部を透過および拡散しながら導光する。そして、導光する光は、ベルト本体５１Ａ（５１）の外面・内面に印刷された図柄５３の部分を透過して光らせる。
【００４１】
この照明により、遊技者側からは、外面の図柄５３Ａが照明され、その図柄５３Ａを認識することができる。なお、遊技者側からは、内面に印刷された図柄５３は視認できない。なお、ベルト本体５１Ａ（５１）に印刷される図柄５３は、光を透過する印刷を行なっている。また、本実施形態の発光ダイオード素子から射出される光の色は、白色としているが、これに限られず、種々の色を用いることができる。
【００４２】
上述したように構成されて動作する照明部７０Ａ（７０）は、図柄表示装置５Ａ以外に配列される図柄表示装置５Ｂ，５Ｃにも同様に備わっており、同様に動作する。なお、図４（ａ）では、図柄表示装置５Ｂ，５Ｃに備わる照明部７０Ｂ，７０Ｃに対する詳細な符号の付記を省略している。
【００４３】
上述した実施形態によれば以下の効果が得られる。
（１）本実施形態の図柄表示装置５によれば、図柄表示ベルト５０は、ベルト本体５１がメビウスの輪状に形成されて、ベルト本体５１を挟む面に図柄５３が形成される図柄表示部５２を有している。また、図柄表示ベルト５０は、回転部６０に掛け渡されて回転を行なう。これにより、ベルト本体５１の表面全体を利用できるため、従来の片面しか利用できない図柄表示ベルトに比べて、図柄５３の数を増やすことができ、図柄表示装置５の大型化も抑制することができる。また、従来と同等の図柄５３の数（図柄５３の大きさも同等）でよい場合には、図柄表示ベルト５０のベルト長さを、従来に比べて短くすることができ、図柄表示装置５の小型化を図ることができる。
【００４４】
（２）本実施形態の図柄表示装置５によれば、図柄表示部５２の図柄５３は、ベルト本体５１を挟む面に、一定間隔を有して印刷されている。それにより、駆動モーター６５に対し、制御回路部からのパルス信号により所定角度ずつ回転させ、回転軸６５Ａに取り付けられた回転ドラム６１の回転および回転角度をコントロールさせることが容易となる。
【００４５】
（３）本実施形態の図柄表示装置５によれば、回転部６０は、回転ドラム６１が図柄表示ベルト５０を回転させ、図柄表示ベルト５０の回転に回転ローラー６３，６４が従動して回転することにより、図柄表示ベルト５０は、安定して回転することができる。
【００４６】
（４）本実施形態の図柄表示装置５によれば、回転部６０は、回転ドラム６１と回転ローラー６３との間に掛け渡された図柄表示ベルト５０のねじれを有さない側に張力を付与することで、ねじれを有する側に張力が殆ど加わらないため、メビウスの輪状に形成される図柄表示ベルト５０に対して安定した回転を行なわせることができる。
【００４７】
（５）本実施形態の図柄表示装置５によれば、図柄表示ベルト５０のベルト本体５１は、可撓性および導光性を有するシリコンゴム部材で構成されている。そのため、シリコンゴム部材の可撓性により、回転部６０に掛け渡して図柄表示ベルト５０を回転することができる。
【００４８】
（６）本実施形態の図柄表示装置５によれば、照明部７０（照明部材７１，７２，７３）がベルト本体５１の端面側に配設される。これにより、図柄５３を外面から照明することに比べて、シリコンゴム部材が有する導光性により、ベルト本体５１の端面部５４から内部に積極的に光を導光させ、外面の図柄５３Ａを透過させて、遊技者に明確に認識させることができる。また、回転ドラム６１の内部から照明しているように遊技者には認識してもらうことができ、図柄表示ベルト５０の表面全体に図柄５３を形成した場合にも、回転ドラム６１が回転して図柄５３が回っていることを従来と同等に強調できる。そして、遊技者の図柄５３に対する認識も向上させられることで演出効果を出すことができる。
【００４９】
（７）本実施形態の回胴式遊技装置１によれば、図柄表示装置５を備えることにより、図柄５３の数を増やすことができると共に、大型化を抑制することができる。
（第２実施形態）
【００５０】
図５は、本発明の第２実施形態に係る図柄表示装置を示す概略側面図である。第１実施形態と同一の構成要素には、同一の符号を付記し、その詳細な説明は省略する。図５を参照して、本実施形態の図柄表示装置６の構成および動作を説明する。
【００５１】
本実施形態の回胴式遊技装置１０に備えられる図柄表示装置６は、第１実施形態の図柄表示装置５と同様に、開口部３１Ａから図柄表示ベルト５０の図柄が確認できる位置関係で、遊技盤３１の裏面側に設置されている。また、図柄表示装置６は、第１実施形態の図柄表示装置５と同様の図柄表示ベルト５０を備えている。異なるところは、図柄表示ベルト５０を掛け渡して図柄表示ベルト５０を回転させる回転部９０の構成が異なるところである。
【００５２】
本実施形態の回転部９０は、円弧状の外周面を有し、断面略Ｃ字状となるように円筒の一部を切り欠いた形状を有する摺動部材９１を備えている。また、回転部９０は、摺動部材９１を挟む形態で、摺動部材９１の右側上部に回転ローラー９３と、摺動部材９１の右側下部に回転ローラー９２を備えている。また、図柄表示装置６は、駆動モーター９５を備えている。
【００５３】
図柄表示ベルト５０は、このような摺動部材９１および回転ローラー９２，９３の外周面に、滑りが生じない適度な張力を有して掛け渡されている。また、図柄表示ベルト５０のねじれを有する側（ねじれを有する領域αを含む側）を回転ローラー９２，９３間に位置するように、掛け渡されている。
【００５４】
ここで、図柄表示装置６の動作を説明する。
駆動モーター９５は、本実施形態では、図５の矢印Ｂ方向に回転するように駆動する。この駆動モーター９５の駆動により、回転ローラー９２が矢印Ｂ方向に回転を開始する。回転ローラー９２の回転開始により、回転ローラー９２と摺動部材９１との間に掛け渡された図柄表示ベルト５０のねじれを有さない側に張力が付与されると共に、回転ローラー９２と図柄表示ベルト５０との摩擦力により、図柄表示ベルト５０が矢印Ｂ方向に回転を開始する。
【００５５】
このとき、図柄表示ベルト５０は、摺動部材９１の外周面を滑ることで回転を行なうことになる。言い換えると、摺動部材９１は、回転ローラー９２により回転する図柄表示ベルト５０を外周面上に摺動させる。また略同時に、図柄表示ベルト５０の矢印Ｂ方向の回転に従動して、回転ローラー９３が回転を開始する。なお、図柄表示ベルト５０が回転する場合、回転ローラー９２，９３間に位置する図柄表示ベルト５０のねじれを有する領域αは、第１実施形態と同様に、その位置で、ねじられた状態を維持しつつ安定した回転を行なう。このように、本実施形態では、回転部９０の構成と動作が第１実施形態と異なっている。なお、本実施形態の図柄表示装置６にも、第１実施形態と同様に照明部７０（図５では図示省略）を備えている。
【００５６】
上述した実施形態によれば以下の効果が得られる。
（１）本実施形態の図柄表示装置６によれば、回転部９０は、図柄表示ベルト５０を回転させる回転ローラー９２と、円弧状の外周面を有し、回転ローラー９２により回転する図柄表示ベルト５０を外周面上に摺動させる摺動部材９１を備えている。これにより、図柄表示ベルト５０は、回転ローラー９２で回転され、摺動部材９１の円弧状の外周面上を摺動する。従って、第１実施形態での回転する回転ドラム６１などを用いなくても、摺動部材９１の円弧状の外周面上を図柄表示ベルト５０が摺動することで、機械的にドラムが回転しているかのように見せる演出効果がある。また、回転ドラム６１などを構成する部品を低減することが可能となり、図柄表示装置６の製造コストの低減化を図ることや、図柄表示装置６の小型化を図ることができる。
【００５７】
なお、上述した実施形態に限定されず、種々の変更や改良などを加えて実施することが可能である。変形例を以下に述べる。
【００５８】
（変形例１）前記第１、第２実施形態の図柄表示装置５，６は、シリコンゴム部材を用いた図柄表示ベルト５０を有している。そして、照明部７０は、発光ダイオード素子を用いた照明部材７１，７２，７３を、図柄表示ベルト５０の端面側に配設している。しかし、これに限られず、図６に示すように、ランプ４１，４２を用いた照明部４０を有する構造としてもよい。以降で、図６を参照して照明部４０に関して説明する。
【００５９】
図６は、変形例に係る図柄表示装置の照明部の概略側面図である。なお、図６は、第２実施形態の図柄表示装置６において、照明部７０を別の照明部４０に変更した図を表している。第２実施形態と同様の構成には同様の符号を付記し、説明は省略する。
【００６０】
図６に示すように、照明部４０は、ランプ４１，４２で構成されており、遊技盤３１の裏面側で、開口部３１Ａの上下の近傍に設置されている。言い換えると、照明部４０は、図柄表示ベルト５０の図柄５３を外面から照明するように設置されている。なお、ランプ４１，４２の照明方向の概略を破線矢印で示している。このランプ４１，４２の照明により、図柄表示ベルト５０の外面に形成される図柄５３を照明でき、遊技者に明確に図柄５３を認識させることができる。なお、この照明部４０は、図柄表示装置６を構成する収容枠体（図示省略）に設置されていてもよい。
【００６１】
（変形例２）前記第１、第２実施形態の図柄表示ベルト５０は、ベルト本体５１がシリコンゴム部材で構成されている。しかし、これに限られず、従来のように、ポリエチレンテレフタレート樹脂や、ポリエチレン樹脂などで形成されるフィルム状の部材を用いてもよい。この場合、上述した照明部４０を用いて、図柄表示ベルトの図柄を外面から照明することが好ましい。
【００６２】
（変形例３）前記第１実施形態の図柄表示装置５は、回転部６０として、２つの回転ローラー６３，６４を有しているが、これに限られず、回転ローラーの数量は適宜変更できる。その場合、回転部に掛け渡される図柄表示ベルトは、ねじれを有さない側に対して張力を付与することで、回転部および図柄表示ベルトを回転させることが必要である。
【００６３】
（変形例４）前記第２実施形態の図柄表示装置６は、回転部９０として、摺動部材９１と１つの回転ローラー９３を有しているが、これに限られず、回転ローラーの数量は適宜変更できる。その場合、回転部に掛け渡される図柄表示ベルトは、ねじれを有さない側に対して張力を付与することで、回転部および図柄表示ベルトを回転させることが必要である。
【００６４】
（変形例５）前記第１実施形態の回胴式遊技装置１は、図柄表示装置５を、３セット配列して構成されている。しかし、配列するセット数は適宜変更することができる。前記第２実施形態の回胴式遊技装置１０においても同様である。
【００６５】
（変形例６）前記第１、第２実施形態の図柄表示ベルト５０は、シリコンゴム部材を用いて構成されており、また、ベルト本体５１の端面側に照明部７０を設置している。しかし、これに限られず、照明部４０を用いて、図柄表示ベルト５０の図柄５３を外面から照明することでもよい。これにより、外面の図柄５３Ａに対して、反射させて遊技者に認識させることができる。また、更に、シリコンゴム部材の導光性により、ベルト本体５１の端面部５４から入射した光がベルト本体５１内部を導光し、外面の図柄５３Ａを透過させることで、遊技者に明確に認識させることもできる。
【００６６】
（変形例７）前記第１、第２実施形態では、回胴式遊技装置１，１０としてパチンコ機に図柄表示装置５，６を適用しているが、これに限られず、スロットマシーンに、図柄表示装置５，６を適用してもよい。
【図面の簡単な説明】
【００６７】
【図１】本発明の第１実施形態に係る回胴式遊技装置の概略正面図。
【図２】図柄表示ベルトを示す図であり、（ａ）は図柄表示ベルトの斜視図であり、（ｂ）は図柄表示ベルトの部分断面図。
【図３】回胴式遊技装置に備える図柄表示装置を示す概略側面図。
【図４】図柄表示装置の照明部を示す図であり、（ａ）は図柄表示装置の照明部の概略正面図であり、（ｂ）は図柄表示装置の照明部の概略側面図。
【図５】本発明の第２実施形態に係る図柄表示装置を示す概略側面図。
【図６】変形例に係る図柄表示装置の照明部の概略側面図。
【符号の説明】
【００６８】
１…回胴式遊技装置、５，６…図柄表示装置、１０…回胴式遊技装置、４０…照明部、４１，４２…ランプ、５０…図柄表示ベルト、５１…ベルト本体、５２…図柄表示部、５３…図柄、５４…端面部、６０…回転部、６１…回転ドラム、６３，６４…回転ローラー、６５…駆動モーター、７０…照明部、７１，７２，７３…照明部材、９０…回転部、９１…摺動部材、９２，９３…回転ローラー、９５…駆動モーター。
【図１】
2010142443.tif 000003
【図２】
2010142443.tif 000004
【図３】
2010142443.tif 000005
【図４】
2010142443.tif 000006
【図５】
2010142443.tif 000007
【図６】
2010142443.tif 000008